(57)【要約】【課題】タバコの煙をより高性能に清浄化することができる分煙ブースを実現する。【解決手段】個室状に形成された分煙ブース１であって、前記個室の内部には、タバコの煙を吸い込んで浄化する空気浄化装置２０が設置され、前記個室の内側の面の全部または一部には、タバコの煙に含まれる成分を分解可能な表面活性を有する無機塗料６０の層が形成されている。【選択図】図１
2009112573.tif 000002
【特許請求の範囲】
【請求項１】
個室状に形成された分煙ブースであって、
前記個室の内部には、タバコの煙を吸い込んで浄化する空気浄化装置が設置され、
前記個室の内側の面の全部または一部には、タバコの煙に含まれる成分を分解可能な表面活性を有する無機塗料の層が形成されていることを特徴とする分煙ブース。
【請求項２】
前記空気浄化装置は、前記タバコの煙に含まれる成分のうち分子量の大きい成分を除去し、前記無機塗料は、前記タバコの煙に含まれる成分のうち少なくとも分子量の小さい成分を分解することを特徴とする請求項１に記載の分煙ブース。
【請求項３】
前記無機塗料は、光触媒作用または放射性物質による作用で、タバコの煙の成分を分解する塗料であることを特徴とする請求項１又は２に記載の分煙ブース。
【請求項４】
前記空気浄化装置の外側の面に、前記無機塗料が塗布されていることを特徴とする請求項１から３のいずれかに記載の分煙ブース。
【発明の詳細な説明】
【技術分野】
【０００１】
本発明は、屋内施設等の空間の一部を区画して覆い、その空間を喫煙空間とする分煙ブースに関するものである。
【背景技術】
【０００２】
近年、オフィスをはじめとする様々な屋内施設において、喫煙対策として、喫煙スペースを限定するための分煙ブースが普及している（特許文献１等）。分煙ブースは、分煙ブース内のタバコの煙が外部に漏れ出て、非喫煙者を不快にさせることを防ぐために、衝立等で仕切られている場合や個室として形成されている場合等、様々な形態がある。また、分煙ブースには、タバコの煙を屋外に排出する換気扇や浄化する空気浄化装置（空気清浄機）等が設置されていて、分煙ブースの内部にいる人にも快適な空間を提供するようにしている。
【０００３】
タバコの煙を浄化する空気浄化装置等には、一般的に、活性炭や高性能フィルター（プラズマ式、イオン式等）を用いたものが多く、吸い込んだ空気に含まれる粒子を、各方式で吸着したりろ過したりして除去し、清浄化した空気を機外に放出する。
【特許文献１】特開２０００−２１８１１５号公報
【発明の開示】
【発明が解決しようとする課題】
【０００４】
しかしながら、前述したような空気浄化装置等では、タバコの煙の成分のうち、比較的分子量の大きい成分（粒子状の成分）であるニコチンやタール等を除去することはできるが、分子量の小さい成分（ガス状の成分）である一酸化炭素やアルデヒド等を除去することは困難であった。
【０００５】
また、空気浄化装置等で除去しきれなかったタバコの煙の成分は、分煙ブースの内部に残り、壁面を汚染し黄ばみを招くため、清掃に手間がかかるという問題もあった。
【０００６】
本発明は、上記問題を解消するものであり、タバコの煙をより高性能に清浄化することができる分煙ブースを実現することを目的とするものである。
【課題を解決するための手段】
【０００７】
前記目的を達成するために、請求項１に記載の発明における分煙ブースは、個室状に形成された分煙ブースであって、前記個室の内部には、タバコの煙を吸い込んで浄化する空気浄化装置が設置され、前記個室の内側の面の全部または一部には、タバコの煙に含まれる成分を分解可能な表面活性を有する無機塗料の層が形成されていることを特徴とするものである。
【０００８】
また、請求項２に記載の発明は、請求項１に記載の分煙ブースにおいて、前記空気浄化装置は、前記タバコの煙に含まれる成分のうち分子量の大きい成分を除去し、前記無機塗料は、前記タバコの煙に含まれる成分のうち少なくとも分子量の小さい成分を分解することを特徴とするものである。
【０００９】
また、請求項３に記載の発明は、請求項１又は２に記載の分煙ブースにおいて、前記無機塗料は、光触媒作用または放射性物質による作用で、タバコの煙の成分を分解する塗料であることを特徴とするものである。
【００１０】
また、請求項４に記載の発明は、請求項１から３のいずれかに記載の分煙ブースにおいて、前記空気浄化装置の外側の面に、前記無機塗料が塗布されていることを特徴とするものである。
【発明の効果】
【００１１】
請求項１に記載の発明によれば、分煙ブースには、個室状に形成されているから、分煙ブースの内部で発生したタバコの煙が、ブースの外に漏れ出し難くなっている。また、分煙ブースには、タバコの煙を吸い込んで浄化する空気浄化装置と、タバコの煙に含まれる成分を分解可能な表面活性を有する無機塗料の層が形成されているから、これら両方を複合的に利用してタバコの煙を浄化することができ、分煙ブースの内部が悪臭や黄ばみで汚染され難く、快適性が向上する。
【００１２】
請求項２に記載の発明によれば、無機塗料は、タバコの煙に含まれる成分のうち分子量の小さい成分、換言すると、空気浄化装置で除去できなかった成分を分解することができる。従って、空気浄化装置に無機塗料を組み合わせることで、従来、空気浄化装置だけでは除去しきれなかったタバコの煙の成分を除去することができ、分煙ブースの内部の汚染に加え、健康面でも改善することができる。
【００１３】
また、空気浄化装置と無機塗料のいずれか一方を分煙ブースに備えた場合に比べて、タバコの煙の処理に対する各々の負荷が軽減されるので、分煙ブースの内部を、素早く快適にすることができる。
【００１４】
請求項３に記載の発明によれば、無機塗料は、光触媒作用または放射性物質による作用で、タバコの煙の成分を分解して無害化し、分煙ブースの内部を浄化することができる。
【００１５】
請求項４に記載の発明によれば、空気浄化装置の外側の面にも無機塗料が塗布されているから、タバコの煙と接触可能な無機塗料の層の表面積が拡大し、タバコの煙に対する浄化性能が高められる。
【発明を実施するための最良の形態】
【００１６】
以下に本願発明の基本的な実施形態について説明する。実施形態の分煙ブース１は、既存の建造物の内部に設置されるブースであって、図１に示すように、互いに直交して配置された４つ（４面）の側壁部２と、平面視矩形状の天井部３と、側壁部２の１つに設けられた出入口となる開閉戸４とを備えて直方体の個室状に形成されている。床材は、既存の建造部の床材を利用している。
【００１７】
側壁部２と天井部３とは、パネル材を組み立てて構成されているが、側壁部２の全面または上半分程度を内部が視認できる透光性の部材（透明パネル又は半透明パネル）で構成してもよい。図１に示す分煙ブース１の構造はもちろん一例であって、全体形状や扉の開閉構造等は適宜変更でき、また、既存の建造物の壁を分煙ブース１の側壁部として利用したり、既存の建造物の天井を天井部として利用したりして構成してもよい。
【００１８】
分煙ブース１の内部には、図２に示すようなテーブル状の分煙装置１０が配置されている。分煙装置１０は、平面視小判形で左右横長の天板１１と、天板１１を支持する空気浄化装置２０と、その左右両側に配置された吸殻消火装置４０とを備えている。
【００１９】
天板１１の中央部には、汚れた空気を空気浄化装置２０の内部に吸引するための吸気穴２１が開いており、この吸気穴２１に、パンチングメタル製や金網製等の通気性カバー２２を着脱自在に装着している。天板１１の吸気穴２１を挟んだ左右両側の部位には、吸殻消火装置４０の内部に吸殻を投入するための吸殻投入口４１が開いており、この吸殻投入口４１に灰皿状受け部４２を着脱自在に装着している。灰皿状受け部には、吸殻Ｓを投入できる貫通穴４３と、吸いかけのタバコを寝かせた状態に仮置きする溝４４とが形成されている。
【００２０】
空気浄化装置２０は、図３及び図４に示すように、底板２３を有する金属板製の外箱（本体ケース）２４を備えていて、外箱２４の側面には開閉式の扉２５が設けられている。外箱２４の内部は、左右の仕切り板２６により、中央の吸引エリア２７とこれを挟んだ左右に設けた放散エリア２８とに分けられていて、吸引エリア２７には、上から順に、ゴミ捕集網２９、フィルターユニット３０、脱臭ユニット（光触媒式や活性炭式等）３１、ファン３２が配置されている。
【００２１】
つまり、ファン３２によって、空気浄化装置２０に引き込まれた空気は、ゴミ捕集網２９、フィルターユニット３０、脱臭ユニット（光触媒式や活性炭式等）３１を順次通過することによって、タバコの煙の成分（詳細には後述するように、タバコの煙の成分のうちの分子量の大きい成分）が、ろ過、吸着され、空気から分離除去される。
【００２２】
吸引エリア２７と放散エリア２８とは下部において連通していて、放散エリア２８に流入した浄化済み空気は、外箱２４に形成した排気口３３から機外に放出される。
【００２３】
吸殻消火装置４０は、図３及び図４に示すように、金属板製のボックス４５を備え、その内部のうちの上部には、吸殻投入口４１に投入された吸殻を受ける上広がり漏斗状のホッパー４６が配置されている。ホッパー４６の下部は幅狭になっており、その下方に消化部の一例として、吸殻をもみ消す１対のローラ４７（図４では手前側のローラのみを簡易に図示している）を配置している。このローラ４７は、吸殻が落下したことをセンサ４８で検出すると、駆動源であるモータ４９によって回転駆動して吸殻をもみ消すように構成されている。モータ４９の下方の部分には、吸殻容器５０が着脱自在に配置されている。
【００２４】
なお、図示した分煙装置１０は、本願発明で使用できるものの一例であり、空気浄化装置２０は、例えば２台のファンを備えているタイプや、吸着やろ過の方式の異なるタイプ等、様々の構造を採用できる。また、分煙装置１０は、吸殻消火装置４０を備えない（空気浄化装置２０のみを備える）構造や、天板１１を備えない（テーブル式でない）構造でもよい。
【００２５】
一方、分煙ブース１の側壁部２、天井部３、及び開閉戸４の内測の面には、表面活性を有する無機塗料６０の層が形成されている。この無機塗料６０の層は、分煙ブース１を組み立てた後にその内側の面に塗布し乾燥させることで、皮膜（表面層）として形成している。他の方法として、無機塗料６０が表面層として形成されている建材をあらかじめ用意し、この建材で側壁部２や天井部３、開閉戸４を形成してもよい。なお、無機塗料６０を建材に後から塗布して乾燥させる方法は、既存の建材や、壁、天井を分煙ブース１に利用するときに有効である。
【００２６】
また、無機塗料６０を、分煙装置１の外側の面（天板１１等）に塗布したり、床材に塗布したりしてもよい。つまり、分煙ブース１の内部で、タバコの煙に接触可能な面には、可能な限り無機塗料６０でコーティングすることが望ましい。
【００２７】
無機塗料６０には、第１実施形態では、アクパイトジャパン（株）社製の表面活性を有する無機塗料（製品名「ワンダーライフ」）を適用しており、この無機塗料６０は、後述する実証実験でもわかるように、タバコの煙に含まれる成分を分解することができる。無機塗料６０の組成は、（ａ）一般式Ｍ２Ｏ・ｎＳｉＯ２（但し、ＭはＮａ、及びＲ４Ｎ（Ｒは一価の有機酸）、ｎは自然数）で表されるシリカゾルをＳｉＯ２換算で１〜３５重量部、（ｂ）イオン発生物質を０．１〜３０重量部、（ｃ）無機充填材を０〜５０重量部、（ｄ）水を５〜８０重量部で、（ａ）＋（ｂ）＋（ｃ）＋（ｄ）＝１００重量％となるように調整されたものを用いている。
【００２８】
（ａ）の成分は、単体のままで、あるいは硬化剤と併用して、低温加熱（４０〜１５０℃）又は常温で乾燥、硬化して膜を形成する性質を有しているものであればよく、具体的にはケイ酸（ＳｉＯ２）をナトリウム溶液又は第４級アンモニウム塩溶液等の分散媒に懸濁させて調整したものである。
【００２９】
（ｂ）のイオン発生物質は、イオン発生機能を備えた物質であって、大気中の水蒸気及び炭酸ガスを同時的に接触させると、過酸化水素と水素を生じさせる性質を備えた非水溶性の物質である。具体的には、光によって上記性質が喚起される物質（光触媒）、及び放射能を有する物質（放射性物質）の群から選ばれた、少なくとも１種である。
【００３０】
詳しくは、前記光触媒は、紫外線によって上記作用が励起される性質のアナターゼ型酸化チタン、非可視光線によって上記作用が励起される性質の燐酸チタニア系化合物であり、前記放射性物質は、放射能を有する鉱石もしくはセラミックである。放射能物質は、放射能３７０ベクレル／ｇ（放射線濃度）以下の使用届不要物質が実用の安全上望ましい。
【００３１】
（ｃ）の無機充填材は、塗膜の着色、厚みや硬度調整等の用途に応じて用いるものである。このような無機充填材としては、非水溶性で粒子状もしくは繊維状のものが望ましく、無機体質顔料、無機顔料、機能性顔料、金属粉等があり、これらの群から選ばれた１種または２種以上である。
【００３２】
具体的には、無機体質顔料及び機能性顔料としては、シリカ、ジルコン、アルミナ、カオリン、タルク、ゼオライト、炭酸カルシウム、炭化ケイ素、各種のウイスカー、セルベン、ベントナイト、トルマリン、フェライト、カーボン等があり、無機顔料としては、チタン、クロム、鉄、亜鉛、コバルト、マンガン、ニッケル等の酸化物及びこれらの複合化合物等である。金属粉としては、鉄粉、ステンレス粉、ニッケル粉、真鍮粉、銅粉、亜鉛粉等であるが、これらに限定されるものではない。
【００３３】
上述した構成の分煙ブース１では、空気浄化装置２０が灰皿状受け部（吸殻消火装置４０）に隣接するように一体化して設けられているうえに、ファン３２により吸引しているから、分煙ブース１の内部で喫煙すると、側壁部２や天井部３、開閉戸４の内側の面に形成されている無機塗料６０の層よりも先に、タバコの煙は空気浄化装置２０に吸引される。
【００３４】
ところが、空気浄化装置２０は、タバコの煙の成分のうち、分子量の大きな成分（粒子状の成分）を主に除去し、分子量の小さい成分（ガス状の成分）は排気口３３から排出してしまう。なお、タバコの煙の成分のうち分子量の大きい成分としては、ニコチン、タール等があり、分子量の小さい成分としては、一酸化炭素、アセトアルデヒド、ホルムアルデヒド、ピリジン等がある。
【００３５】
一方、側壁部２や天井部３、開閉戸４の内側の面に塗布されている無機塗料６０の層は、タバコの煙の成分を分子量にかかわらず分解することができる。そのため、空気浄化装置２０で除去しきれず排出されたタバコの煙における分子量の小さい成分（ガス状の成分）や、空気浄化装置２０で吸引しきれなかった（吸い込まれなかった）煙が、浮遊して無機塗料６０に接触すると、無機塗料６０によって分解されて無害化されるのである。
【００３６】
つまり、本願発明の分煙ブース１では、通常、空気浄化装置２０で除去できないタバコの煙における分子量の小さい成分も、無機塗料６０の層を設けることで、分解して除去することができるから、タバコの煙に対する浄化性能に優れている。そのため、分煙ブース１の内部の悪臭や煙を確実に解消して快適性が向上されるとともに、黄ばみを防ぐから清掃等の負担も軽減される。また、特に、タバコの煙には、発がん性物質も含まれているから、浄化性能を高めることで、健康面でも改善を図ることができる。
【００３７】
また、仮に、空気浄化装置２０を設けずに無機塗料６０のみでタバコの煙をすべて処理すると、無機塗料６０の処理能力を超えてしまい、その結果、分煙ブース１内の悪臭や煙の解消に時間を要するようになったり、側壁部２等に黄変を招いたりする虞がある。しかしながら、本願発明のように、空気浄化装置２０と無機塗料６０とを組み合わせて複合的にタバコの煙を処理し、分子量の大きい煙の成分を主に空気浄化装置２０によって除去させるようにしているので、無機塗料６０の負担を軽減することができる。そのため、空気浄化装置２０と無機塗料６０とが各々単独で設けられた場合に比べて、タバコの煙に対する除去や分解を素早く確実に行うことができるのである。
【００３８】
また、無機塗料６０の層がタバコの煙の浄化を分担することで、空気浄化装置２０も処理の負荷が軽減されるため、フィルターユニット３０や脱臭ユニット３１の交換の時期を延ばすことができ、消耗品のコスト軽減を図ることができる。
【００３９】
なお、無機塗料６０の第２実施形態として、アクパイトジャパン（株）社製の別の無機塗料（製品名「ワンダーライフ」）を用いてもよい。この別の無機塗料は、（ａ）一般式Ｍ２Ｏ・ｎＳｉＯ２（但し、Ｍはアルカリ金属のＮａ、Ｋ，及びＬｉであり、ｎは自然数）で表されるアルカリケイ酸塩を、ＳｉＯ２換算で１〜２５重量部、（ｂ）放射性物質を０．１〜３０重量部、（ｃ）無機充填材を０〜７０重量部、（ｄ）水を３〜９０重量部で、（ａ）＋（ｂ）＋（ｃ）＋（ｄ）＝１００重量％となるように調整されたものを用いている。
【００４０】
（ａ）の成分は、具体的には、ケイ酸ナトリウム、ケイ酸カリウム、及びケイ酸リチウム等であって、常温又は加温により乾燥させると薄膜を生じ、結合剤の働きをするものである。（ｂ）の放射性物質は、放射線を発生する天然の鉱石あるいはセラミックの形態のものである、天然鉱石として、ウラン系列、アクチニウム系列、トリウム系列等に属する元素を内蔵する物質である。また、これらの物質を用いて調整したセラミックスでもよい。（ｃ）の無機充填材は、第１実施形態の無機塗料６０の（ｃ）無機充填材として例示した材料の中から選択して適用される。
【００４１】
この第２実施形態の無機塗料６０も消臭やヤニの分解に効果を奏するが、特に、耐火性に優れていて、木材や紙、布等の可燃性基材にコーティングすると、基材に難燃性を付与することができる。
【００４２】
次に、第１実施形態の無機塗料６０について、その効果を実証する実験を行ったので、結果について説明する。実験は、タバコの煙の成分に含まれる、ホルムアルデヒドとアンモニアの２種類のガス成分を対象にして、密閉空間における各ガスの濃度が無機塗料６０によって低下するか否を確認した経時変化の実験と、各ガスが無機塗料６０によって分解されたか否かを確認する加熱実験との２種類を行った。
【００４３】
実験１は、ホルムアルデヒドの濃度の経時変化を確認した実験である。詳細には、１００Ｌ（リットル、以下同様に記載する）のテドラーバッグの内部に、無機塗料６０を塗布した合板を設置し、そのテドラーバッグに一定の濃度に調整したホルムアルデヒドを１００Ｌ注入した。そして、一定時間毎（暴露初期、１、２、３、６時間後）に、テドラーバッグ内の空気を試料としてＤＮＰＨカートリッジに捕集した。試料を捕集したＤＮＰＨカートリッジは、いずれもアセトニトリルで溶出を行い、ＨＰＬＣ（高速液体クロマトグラフィ）で濃度を測定した。
【００４４】
実験１では比較例として、１００Ｌのテドラーバッグの内部に、無機塗料６０を塗布した合板を設置せずに、ホルムアルデヒドのみを１００Ｌ注入し、一定時間毎（暴露初期、１、２、３、６時間後）に、テドラーバッグ内の空気を前述と同様に捕集し濃度の測定を行った。
【００４５】
実験２は、ホルムアルデヒドが無機塗料６０に分解されたのかあるいは吸着されたのかを確認するための加熱実験である。詳細には、ホルムアルデヒドに６時間暴露した後の無機塗料６０が塗布された合板（実験１終了後の合板）を、５０Ｌのテドラーバッグに入れ、清浄空気５０Ｌを注入し、４０℃で２４時間加熱した後に、内部の空気を試料としてＤＮＰＨカートリッジで捕集し、前述と同様に濃度を測定した。
【００４６】
実験１の結果を示す図５（ａ）及び図５（ｂ）では、無機塗料６０の合板が設置されていると、設置されていない場合（比較例）に比べて、経過時間とともにホルムアルデヒドの濃度が確実に低下しているため、無機塗料６０がホルムアルデヒドを減少させていることがわかる。
【００４７】
また、実験２の結果を示す図５（ｃ）では、ホルムアルデヒドは、加熱後であっても、図５（ａ）の６時間後の結果よりも小さい濃度が検出されただけである。仮に、ホルムアルデヒドが、無機塗料６０に吸着されていると、加熱によって再び空気中に放出され、その濃度が上昇すると予測されるが、加熱後のホルムアルデヒドの濃度が低いことから、ホルムアルデヒドは、無機塗料６０に分解されたことがわかる。
【００４８】
このように、実験１及び２から、無機塗料６０は、タバコの煙に含まれるホルムアルデヒドの濃度を低下させることができることが確認できた。そして、無機塗料６０はホルムアルデヒドを吸着ではなく分解しているので、再びホルムアルデヒドを放出する虞は極めて低いと考えられ、ホルムアルデヒドを浄化する作用を有すると言える。
【００４９】
次に、アンモニアに対して行った実験３は、実験１と同様の経時変化の実験であり、無機塗料６０を塗布した合板を、テドラーバッグの中に、アンモニアとともに入れて放置した。そして、一定時間毎（暴露初期、１、２、３、６時間後）に、テドラーバッグ内の空気を試料としてインピンジャーで捕集し、捕集したインピンジャー液をイオンクロマトグラフで測定した。また、実験１と同様に比較例として、無機塗料６０を塗布した合板を設置せずに、アンモニアのみを注入し、一定時間毎（暴露初期、１、２、３、６時間後）に、テドラーバッグ内の空気を前述と同様に捕集し濃度の測定を行った。
【００５０】
また、実験４は、アンモニアに対して行った加熱実験であり、アンモニアに６時間暴露した後の無機塗料６０が塗布された合板（実験３終了後の合板）を、実験２と同様に加熱して、その空気におけるアンモニアの濃度を実験３と同様に測定した。
【００５１】
実験３の結果を示す図６（ａ）及び図６（ｂ）では、無機塗料６０の合板が設置されていると、設置されていない場合（比較例）に比べて、経過時間とともにアンモニアの濃度が確実に低下しているため、無機塗料６０がアンモニアを減少させていることがわかる。
【００５２】
また、実験４の結果を示す図６（ｃ）では、アンモニアは、加熱後であっても、図６（ａ）の６時間後の結果よりも小さい濃度が検出されただけである。つまり、アセトアルデヒドの場合と同様に、アンモニアは、無機塗料６０に吸着されたのではなく分解されたことがわかる。
【００５３】
このように、実験３及び４から、無機塗料６０は、タバコの煙に含まれるアンモニアに対してもその濃度を低下させることができ、かつ、アンモニアを分解していることが確認できたので、アンモニアに対する浄化作用を有すると言える。
【００５４】
なお、実験結果は示していないが、本出願人の実験によると、無機塗料６０は、加齢臭の成分であるノネナールや、病院臭の成分であるエタノールに対しても、程度の差があるものの、アセトアルデヒドやアンモニアと同様に分解（浄化）能力を発揮することが確認できている。従って、無機塗料６０の層を分煙ブース１に内側の面に設けることで、タバコの煙の成分や悪臭の元となるような成分を浄化することができるため、本願発明では極めて快適性に優れた分煙ブース１を提供することができるのである。
【図面の簡単な説明】
【００５５】
【図１】本発明の実施形態の分煙ブースの模式的な斜視図である。
【図２】実施形態の分煙装置の外観斜視図である。
【図３】（ａ）は分煙装置の正面図、（ｂ）は（ａ）のIIIb−IIIb線矢視概略断面図である。
【図４】図２のIV−IV線矢視断面図である。
【図５】（ａ）〜（ｃ）は、ホルムアルデヒドに対する無機塗料の効果を実証する実験結果の説明図である。
【図６】（ａ）〜（ｃ）は、アンモニアに対する無機塗料の効果を実証する実験結果の説明図である。
【符号の説明】
【００５６】
１        分煙ブース
２        側壁部
３        天井部
４        開閉戸
１０      分煙装置
１１      天板
２０      空気浄化装置
４０      吸殻消火装置
４２      灰皿状受け部
６０      無機塗料
【図１】
2009112573.tif 000003
【図２】
2009112573.tif 000004
【図３】
2009112573.tif 000005
【図４】
2009112573.tif 000006
【図５】
2009112573.tif 000007
【図６】
2009112573.tif 000008